(57)【要約】【課題】ユーザの手間を省きながら一連の画像を各々の画像の内容に応じた表示時間で自動スライドショー表示させる。【解決手段】複数の画像データからなる画像ファイルを入力する入出力コネクタ部11及び入出力Ｉ／Ｆ12と、入力した画像ファイルを構成する個々の画像データの画像内容を解析し、その解析結果に応じて当該画像データの標準の再生時間に対する調整時間を設定し、、調整し時間に基づいて画像ファイルを構成する個々の画像データを投影系13〜22で再生させるＣＰＵ27、プログラムメモリ28及びメインメモリ29とを備える。【選択図】      図１
2011244494.tif 000002
【特許請求の範囲】
【請求項１】
複数の画像データからなる画像ファイルを入力する画像入力手段と、
上記画像入力手段で入力した画像ファイルを構成する個々の画像データの画像内容を解析する画像解析手段と、
上記画像解析手段での解析結果に応じて、当該画像データの標準の再生時間に対する調整時間を設定する調整手段と、
上記調整手段で調整された時間に基づいて上記画像ファイルを構成する個々の画像データを再生させる再生制御手段と
を具備したことを特徴とする画像再生装置。
【請求項２】
上記画像解析手段は、画像データ中のフォントデータの数を抽出し、
上記調整手段は、上記画像解析手段で抽出したフォントデータの数が多いほど当該画像データの再生時間を標準より長くなるように調整する
ことを特徴とする請求項１記載の画像再生装置。
【請求項３】
上記画像解析手段は、画像データ中のフォントデータのサイズを抽出し、
上記調整手段は、上記画像解析手段で抽出したフォントデータのサイズが小さいほど当該画像データの再生時間を標準より長くなるように調整する
ことを特徴とする請求項１記載の画像再生装置。
【請求項４】
上記画像解析手段は、画像データ中のフォントデータ及び図形データの少なくとも一方のデータ量を算出し、
上記調整手段は、上記画像解析手段で算出したデータ量の画像データに対する割合により当該画像データの標準の再生時間に対する調整時間を設定する
ことを特徴とする請求項１記載の画像再生装置。
【請求項５】
上記画像解析手段は、画像データ中の背景部分とフォントデータ及び図形データの少なくとも一方とを分離し、
上記調整手段は、上記画像解析手段で分離した背景部分とフォントデータ及び図形データの少なくとも一方とのコントラスト値により当該画像データの標準の再生時間に対する調整時間を設定する
ことを特徴とする請求項１記載の画像再生装置。
【請求項６】
複数の画像データからなる画像ファイルを入力する画像入力手段と、
上記画像入力手段で入力した画像ファイルを構成する個々の画像データの再生時間を計時する計時手段と、
上記計時手段で得た再生時間を対応する画像データを示す情報と関連付けて記憶する記憶手段と、
上記記憶手段で再生時間が関連付けて記憶されている上記画像ファイルを構成する個々の画像データをその再生時間に基づいた時間だけ再生させる再生制御手段と
を具備したことを特徴とする画像再生装置。
【請求項７】
上記再生制御手段により記憶手段に記憶された過去の再生時間に基づいて再生される画像データの再生延期及び再生短縮を指示する指示手段をさらに具備したことを特徴とする請求項６記載の画像再生装置。
【請求項８】
上記記憶手段は、同一の画像ファイルを構成する個々の画像データの２回目以降の再生時に各画像データ毎の再生時間の平均値を記憶することを特徴とする請求項７記載の画像再生装置。
【請求項９】
画像ファイルを構成する複数の画像データの再生時間の総和を基に個々の画像データの再生時間を再調整する再調整手段をさらに具備し、
上記再生制御手段は、上記再調整手段で調整された再生時間に基づいて個々の画像データを再生させる
ことを特徴とする請求項１または６記載の画像再生装置。
【請求項１０】
複数の画像データからなる画像ファイルを入力する画像入力工程と、
上記画像入力工程で入力した画像ファイルを構成する個々の画像データの画像内容を解析する画像解析工程と、
上記画像解析工程での解析結果に応じて、当該画像データの標準の再生時間に対する調整時間を設定する調整工程と、
上記調整工程で調整された時間に基づいて上記画像ファイルを構成する個々の画像データを再生させる再生制御工程と
を有したことを特徴とする画像再生方法。
【請求項１１】
複数の画像データからなる画像ファイルを入力する画像入力工程と、
上記画像入力工程で入力した画像ファイルを構成する個々の画像データの再生時間を計時する計時工程と、
上記計時工程で得た再生時間を対応する画像データを示す情報と関連付けて記憶する記憶工程と、
上記記憶工程で再生時間が関連付けて記憶されている上記画像ファイルを構成する個々の画像データをその再生時間に基づいた時間だけ再生させる再生制御工程と
を有したことを特徴とする画像再生方法。
【請求項１２】
複数の画像データからなる画像ファイルを入力して再生する画像再生装置に内蔵されたコンピュータが実行するプログラムであって、
上記入力した画像ファイルを構成する個々の画像データの画像内容を解析する画像解析ステップと、
上記画像解析ステップでの解析結果に応じて、当該画像データの標準の再生時間に対する調整時間を設定する調整ステップと、
上記調整ステップで調整された時間に基づいて上記画像ファイルを構成する個々の画像データを再生させる再生制御ステップと
をコンピュータに実行させることを特徴とするプログラム。
【請求項１３】
複数の画像データからなる画像ファイルを入力して再生する画像再生装置に内蔵されたコンピュータが実行するプログラムであって、
上記入力した画像ファイルを構成する個々の画像データの再生時間を計時する計時ステップと、
上記計時ステップで得た再生時間を対応する画像データを示す情報と関連付けて記憶する記憶ステップと、
上記記憶ステップで再生時間が関連付けて記憶されている上記画像ファイルを構成する個々の画像データをその再生時間に基づいた時間だけ再生させる再生制御工程と
をコンピュータに実行させることを特徴とするプログラム。
【発明の詳細な説明】
【技術分野】
【０００１】
本発明は、プレゼンテーションに使用するデータプロジェクタ等に好適な画像再生装置、画像再生方法及びプログラムに関する。
【背景技術】
【０００２】
一般にプレゼンテーションソフトウェアにおける自動スライドショー機能では、どのスライド画像も一定時間毎に順次表示を切換えるものとなっている。そのため、表示される画像の内容によっては、視聴者が内容を理解する以前に画像が次の画像に切り替えられてしまう場合や、反対に内容が容易に理解できるにも拘わらずなかなか次の画像に切り替わらず、時間をもて余してしまう場合などがあり得る。
【０００３】
このような事態に対処する技術として、スライドショーの対象となる複数の対象画像を予め設定されている表示制御情報に応じて逐次切り換えて再生表示する際に、対象画像に対応付けられている関連情報に基づいて当該対象画像の再生状態を変更するべく、各対象画像にタイトル名や被写体名等に基づいて設定した「お気に入り度」と称される関連情報を付加するようにした技術があった。（例えば、特許文献１）
【先行技術文献】
【特許文献】
【０００４】
【特許文献１】特開２００６−１５７３２４号公報
【発明の概要】
【発明が解決しようとする課題】
【０００５】
上記特許文献１に記載された技術は、ユーザ自身が手動で設定した「お気に入り度」と称される関連情報に基づいて適宜表示時間を本来より長く変更するようにしてものであり、あくまでユーザが手動で関連情報としての「お気に入り度」を設定しなくてはならないため、その手間が煩雑となる。
【０００６】
本発明は上記のような実情に鑑みてなされたもので、その目的とするところは、でき得る限りユーザの手間を省きながら一連の画像を各々の画像の内容に応じた表示時間で自動スライドショー表示させることが可能な画像再生装置、画像再生方法及びプログラムを提供することにある。
【課題を解決するための手段】
【０００７】
請求項１記載の発明は、複数の画像データからなる画像ファイルを入力する画像入力手段と、上記画像入力手段で入力した画像ファイルを構成する個々の画像データの画像内容を解析する画像解析手段と、上記画像解析手段での解析結果に応じて、当該画像データの標準の再生時間に対する調整時間を設定する調整手段と、上記調整手段で調整された時間に基づいて上記画像ファイルを構成する個々の画像データを再生させる再生制御手段とを具備したことを特徴とする。
【０００８】
請求項２記載の発明は、上記請求項１記載の発明において、上記画像解析手段は、画像データ中のフォントデータの数を抽出し、上記調整手段は、上記画像解析手段で抽出したフォントデータの数が多いほど当該画像データの再生時間を標準より長くなるように調整することを特徴とする。
【０００９】
請求項３記載の発明は、上記請求項１記載の発明において、上記画像解析手段は、画像データ中のフォントデータのサイズを抽出し、上記調整手段は、上記画像解析手段で抽出したフォントデータのサイズが小さいほど当該画像データの再生時間を標準より長くなるように調整することを特徴とする。
【００１０】
請求項４記載の発明は、上記請求項１記載の発明において、上記画像解析手段は、画像データ中のフォントデータ及び図形データの少なくとも一方のデータ量を算出し、上記調整手段は、上記画像解析手段で算出したデータ量の画像データに対する割合により当該画像データの標準の再生時間に対する調整時間を設定することを特徴とする。
【００１１】
請求項５記載の発明は、上記請求項１記載の発明において、上記画像解析手段は、画像データ中の背景部分とフォントデータ及び図形データの少なくとも一方とを分離し、上記調整手段は、上記画像解析手段で分離した背景部分とフォントデータ及び図形データの少なくとも一方とのコントラスト値により当該画像データの標準の再生時間に対する調整時間を設定することを特徴とする。
【００１２】
請求項６記載の発明は、複数の画像データからなる画像ファイルを入力する画像入力手段と、上記画像入力手段で入力した画像ファイルを構成する個々の画像データの再生時間を計時する計時手段と、上記計時手段で得た再生時間を対応する画像データを示す情報と関連付けて記憶する記憶手段と、上記記憶手段で再生時間が関連付けて記憶されている上記画像ファイルを構成する個々の画像データをその再生時間に基づいた時間だけ再生させる再生制御手段とを具備したことを特徴とする。
【００１３】
請求項７記載の発明は、上記請求項６記載の発明において、上記再生制御手段により記憶手段に記憶された過去の再生時間に基づいて再生される画像データの再生延期及び再生短縮を指示する指示手段をさらに具備したことを特徴とする。
【００１４】
請求項８記載の発明は、上記請求項７記載の発明において、上記記憶手段は、同一の画像ファイルを構成する個々の画像データの２回目以降の再生時に各画像データ毎の再生時間の平均値を記憶することを特徴とする。
【００１５】
請求項９記載の発明は、上記請求項１または６記載の発明において、画像ファイルを構成する複数の画像データの再生時間の総和を基に個々の画像データの再生時間を再調整する再調整手段をさらに具備し、上記再生制御手段は、上記再調整手段で調整された再生時間に基づいて個々の画像データを再生させることを特徴とする。
【００１６】
請求項１０記載の発明は、複数の画像データからなる画像ファイルを入力する画像入力工程と、上記画像入力工程で入力した画像ファイルを構成する個々の画像データの画像内容を解析する画像解析工程と、上記画像解析工程での解析結果に応じて、当該画像データの標準の再生時間に対する調整時間を設定する調整工程と、上記調整工程で調整された時間に基づいて上記画像ファイルを構成する個々の画像データを再生させる再生制御工程とを有したことを特徴とする。
【００１７】
請求項１１記載の発明は、複数の画像データからなる画像ファイルを入力する画像入力工程と、上記画像入力工程で入力した画像ファイルを構成する個々の画像データの再生時間を計時する計時工程と、上記計時工程で得た再生時間を対応する画像データを示す情報と関連付けて記憶する記憶工程と、上記記憶工程で再生時間が関連付けて記憶されている上記画像ファイルを構成する個々の画像データをその再生時間に基づいた時間だけ再生させる再生制御工程とを有したことを特徴とする。
【００１８】
請求項１２記載の発明は、複数の画像データからなる画像ファイルを入力して再生する画像再生装置に内蔵されたコンピュータが実行するプログラムであって、上記入力した画像ファイルを構成する個々の画像データの画像内容を解析する画像解析ステップと、上記画像解析ステップでの解析結果に応じて、当該画像データの標準の再生時間に対する調整時間を設定する調整ステップと、上記調整ステップで調整された時間に基づいて上記画像ファイルを構成する個々の画像データを再生させる再生制御ステップとをコンピュータに実行させることを特徴とする。
【００１９】
請求項１３記載の発明は、複数の画像データからなる画像ファイルを入力して再生する画像再生装置に内蔵されたコンピュータが実行するプログラムであって、上記入力した画像ファイルを構成する個々の画像データの再生時間を計時する計時ステップと、上記計時ステップで得た再生時間を対応する画像データを示す情報と関連付けて記憶する記憶ステップと、上記記憶ステップで再生時間が関連付けて記憶されている上記画像ファイルを構成する個々の画像データをその再生時間に基づいた時間だけ再生させる再生制御工程とをコンピュータに実行させることを特徴とする。
【発明の効果】
【００２０】
本発明によれば、でき得る限りユーザの手間を省きながら一連の画像を各々の画像の内容に応じた表示時間で連続して自動スライドショー表示させることが可能となる。
【図面の簡単な説明】
【００２１】
【図１】本発明の第１の実施形態に係るデータプロジェクタ装置の回路構成を示すブロック図。
【図２】同実施形態に係る画像ファイルデータ再生時の処理内容を示すフローチャート。
【図３】本発明の第２の実施形態に係る画像ファイルデータ再生時の処理内容を示すフローチャート。
【図４】同実施形態に係る画像ファイルデータ再生時の処理内容を示すフローチャート。
【図５】同実施形態に係る画像ファイルデータの記憶構成例を示す図。
【発明を実施するための形態】
【００２２】
（第１の実施形態）
以下本発明をＤＬＰ（Ｄｉｇｉｔａｌ  Ｌｉｇｈｔ  Ｐｒｏｃｅｓｓｉｎｇ）（登録商標）方式のデータプロジェクタ装置に適用した場合の第１の実施形態について図面を参照して説明する。
【００２３】
図１は、同実施形態に係るデータプロジェクタ装置１０の電子回路の機能構成を示すブロック図である。
同図で、１１は入出力コネクタ部であり、例えばピンジャック（ＲＣＡ）タイプのビデオ入力端子、ＲＧＢ入力端子、及びＵＳＢ（Ｕｎｉｖｅｒｓａｌ  Ｓｅｒｉａｌ  Ｂｕｓ）端子からなる。
【００２４】
入出力コネクタ部１１より入力される各種規格の画像信号は、入出力インタフェース（Ｉ／Ｆ）１２、システムバスＳＢを介して画像変換部１３で投影に適した所定のフォーマットの画像信号に統一された後に、投影駆動部１４へ送られる。
【００２５】
この際、ＯＳＤ（Ｏｎ  Ｓｃｒｅｅｎ  Ｄｉｓｐｌａｙ）用の各種キャラクタやポインタ等の記号も必要に応じて画像信号上に重畳加工された状態で投影駆動部１４へ送られる。
【００２６】
投影駆動部１４は、送られてきた画像信号をビデオＲＡＭ１５に展開して記憶させた上で、このビデオＲＡＭ１５の記憶内容からビデオ信号を生成する。投影駆動部１４は、このビデオ信号のフレームレート、例えば６０［フレーム／秒］と色成分の分割数、及び表示階調数を乗算した、より高速な時分割駆動により、空間的光変調素子（ＳＯＭ）であるマイクロミラー素子１６を表示駆動する。
【００２７】
一方、リフレクタ１７内に配置された、例えば超高圧水銀灯を用いた光源ランプ１８が高輝度の白色光を出射する。光源ランプ１８の出射した白色光は、カラーホイール１９を介して時分割で原色に着色され、インテグレータ２０で輝度分布が均一な光束とされた後にミラー２１で全反射して上記マイクロミラー素子１６に照射される。
【００２８】
そして、マイクロミラー素子１６での反射光で光像が形成され、形成された光像が光学レンズユニット２２を介して、投影対象となるここでは図示しないスクリーンに投影表示される。
【００２９】
光学レンズユニット２２は、マイクロミラー素子１６で形成された光像を拡大してスクリーン等の対象に投影するものであり、合焦位置及びズーム位置（投影画角）を任意に可変できるものとする。
【００３０】
すなわち、光学レンズユニット２２中の図示しないフォーカスレンズ及びズームレンズは共に光軸方向に沿って前後に移動することで制御されるもので、それらレンズはステッピングモータ（Ｍ）２３の回動駆動により移動する。
【００３１】
なお、上記カラーホイール１９の終端部に対向するようにマーカセンサ２４が近接配置され、このマーカセンサ２４がカラーホイール１９に設けられた図示しないマーカの通過を検出して検出信号を上記投影駆動部１４へ送出する。
【００３２】
投影駆動部１４は、マーカセンサ２４からの検出信号によりマイクロミラー素子１６での駆動タイミングを調整する。
【００３３】
また、上記光源ランプ１８の点灯駆動、上記カラーホイール１９用のモータ（Ｍ）２５の回転駆動、及び上記ステッピングモータ２３の回動駆動をいずれも投影光処理部２６が実行する。
【００３４】
上記各回路の動作すべてをＣＰＵ２７が制御する。このＣＰＵ２７は、動作プログラムや各種定型データ等を記憶した不揮発性メモリでなるプログラムメモリ２８、ＲＡＭでなるメインメモリ２９を用いてこのデータプロジェクタ装置１０内の制御動作を実行する。
【００３５】
上記ＣＰＵ２７にはさらに、上記システムバスＳＢを介してキースイッチ部３０、インジケータ部３１、及び音声処理部３２が接続される。
【００３６】
キースイッチ部３０は、電源キー、モード切換キー、キャンセルキー、フォーカスキー、ズームキー、カーソル（「↑」「↓」「←」「→」）キー、エンターキー等からなる。
【００３７】
これらキースイッチ部３０の各キーを用いてユーザが任意の操作を行なうと、そのキー操作に応じた操作信号がＣＰＵ２７へ入力され、ＣＰＵ２７はキースイッチ部３０からの入力に応じて制御動作を実行する。
【００３８】
インジケータ部３１は、例えば複数個のＬＥＤで構成され、各種動作状態等を点灯色と点滅パターンの組合せにより表示する。
【００３９】
音声処理部３２は、ＰＣＭ音源等の音源回路を備え、投影動作時に与えられる音声データをアナログ化し、このデータプロジェクタ装置１０の本体ケーシングの例えば背面に設けられるスピーカ３３を駆動して拡声放音させ、あるいは必要によりビープ音等を発生させる。
【００４０】
次に上記実施形態の動作について説明する。
図２は、入出力コネクタ部１１のＵＳＢ端子に図示しないＵＳＢフラッシュメモリを接続し、データプロジェクタ装置１０が有するビューワソフトウェア（以下「ビューワ」と称する）を起動して当該ＵＳＢフラッシュメモリに記憶された画像ファイルを選択し、自動スライドショーモードで再生させる場合の処理内容を示すフローチャートである。この図２の処理は、全てＣＰＵ２７がプログラムメモリ２８に記憶されているビューワを含む動作プログラムに基づいて実行する。
【００４１】
処理当初には、レンズユニット２２より投影されるビューワのガイド表示にしたがってキースイッチ部３０のカーソルキー、エンターキー等を操作することで再生する画像ファイルを選択する（ステップＡ０１）。
【００４２】
次に同じくビューワのガイド表示にしたがって再生モードを選択する（ステップＡ０２）。ここでは、後述する自動スライドショーモードの他に、ユーザが手動で画像の切換えを指示するマニュアルモード、画像ファイル内の各画像データをアトランダムな順序で選択して一定時間ずつ切換えながら再生するシャッフルスライドショーモード、その他の再生モードも選択可能とするが、本発明には直接関係しないのでその詳細については説明を省略する。
【００４３】
しかして、選択された再生モードが自動スライドショーモードであるか否かを判断し（ステップＡ０３）、そうでない場合には、上述した如くその選択した再生モードに応じた再生処理を実行する。
【００４４】
一方、ステップＡ０３で自動スライドショーモードを選択したと判断した場合には、次いで画像ファイル内に格納されている複数の画像データ中から１つを選択し（ステップＡ０４）、選択した画像データを解析して画像中からフォント（文字）データ、一般的な図形データ、予め登録していた特定の図形データがあればそれらを全て抽出する（ステップＡ０５）。
【００４５】
なお、上記フォントデータの抽出に際しては、各フォント単位の矩形範囲を切出してその数とサイズとを抽出するまでの処理を行なうまでとし、切出した各フォントを文字認識技術により文字コード化する処理は行わないものとする。
【００４６】
上記解析結果に従い、まず画像データ中にフォントデータがあったか否かを判断する（ステップＡ０６）。
フォントデータがあったと判断した場合にのみ、フォントデータの数とサイズとにより当該画像データの再生時間のランクをアップする（ステップＡ０７）。
【００４７】
このビューワでは、例えば最短で１秒から、最長で３０分までの計１５段階の再生時間ランクを用意し、ユーザが標準となる画像の再生時間ランクを任意に設定可能であるものとする。
【００４８】
しかるに、上記ステップＡ０７では、画像データ中にフォントデータが一定値より多ければ再生時間のランクを１つあげる更新を行なうと共に、フォントデータのサイズが一定値より小さければ、これも再生時間のランクを１つあげる更新を行なう。
【００４９】
その後、上記ステップＡ０７での処理の実行の有無に拘わらず、次に上記解析結果から画像データ中に特定の図形データを除く一般的な図形データがあったか否かを判断する（ステップＡ０８）。
【００５０】
ここで一般的な図形データがあったと判断した場合にのみ、図形データのサイズと色数により当該画像データの再生時間のランクをアップする（ステップＡ０９）。
【００５１】
すなわちステップＡ０９では、画像データ中の図形データのサイズが一定値より大きければ再生時間のランクを１つあげる更新を行なうと共に、図形データを構成する色数が一定値より多ければ、これも再生時間のランクを１つあげる更新を行なう。
【００５２】
その後、上記ステップＡ０９での処理の実行の有無に拘わらず、次に上記解析結果から画像データ中に特定の図形データがあったか否かを判断する（ステップＡ１０）。
【００５３】
ここで特定の図形データとは、例えばユーザが事前に登録していたロゴ図形や地図の図形等を示し、形状のパターンマッチング技術などにより容易に一致判断を行なうことができるものであり、特定の図形データがあったと判断した場合にのみ、当該画像データの再生時間のランクをアップ（ステップＡ１１）。
【００５４】
その後、上記ステップＡ１１での処理の実行の有無に拘わらず、次に上記解析結果から画像データ中の背景部分とフォントデータ、図形データ等とのコントラストが低いか否かを判断する（ステップＡ１２）。
【００５５】
ここでコントラストの判断は、背景部分の代表色とフォントデータや図形データ等の代表色とを求め、そのコントラスト値が一定値より低いか否かにより判断するもので、コントラストが低いと判断した場合にのみ、当該画像データの再生時間のランクをアップする（ステップＡ１３）。
【００５６】
以上で画像データの解析結果に応じた再生時間の調整を終えたものとして、その累積結果に応じた総合的なランクを設定し、画像データ名と関連付けてメインメモリ２９に保持した上で、他にもまだ解析を行なっていない画像データがあるか否かを判断する（ステップＡ１４）。
【００５７】
ここでまだ解析を行なっていない画像データがあると判断すると、再び上記ステップＡ０４からの処理に戻り、新たに解析を行っていない画像データを選択した上で同様の処理を実行する。
【００５８】
こうして上記ステップＡ０４〜Ａ１４の処理を繰返し実行することで、当該画像ファイルを構成する全ての画像データに対して解析とその結果に基づく再生時間の調整を実行する。
【００５９】
そして、画像ファイルを構成する最後の画像データに対する同様の処理を終了すると、上記ステップＡ１４でこれを判断し、例えば画像ファイル全体での再生時間が設定されている場合などのように、必要に応じて画像ファイル全体で各画像データの再生時間のランク設定を再調整する（ステップＡ１５）。
【００６０】
その後、上記ランク設定を行なった各画像データの再生時間に応じて自動スライドショーモードでの再生動作に移行し（ステップＡ１６）、以上でこの図２の処理を終了する。
【００６１】
なお、自動スライドショーモードでの再生に際しては、予め設定した内容により、選択された画像ファイルを１通り再生して再生を終了する場合と、選択した画像ファイルの最後の画像データの再生を終えると再びその画像ファイルの先頭の画像データに戻って繰返し画像ファイルの再生を行なう場合とが選択できるものとする。
【００６２】
このように本実施形態によれば、標準となる画像データの再生時間のランク設定や特定の図形データの選択などの事前の各種設定を除けば、ユーザは単に画像ファイルを選択した上で自動スライドショーモードでの再生を指示するのみで、一連の画像を各々の画像の内容に応じた表示時間で連続して自動スライドショー表示させることが可能となる。
【００６３】
また、上記事前の各種設定に関しても、データプロジェクタ装置１０のデフォルト設定をそのまま用いるものとすれば、ユーザは一切の手間を省くことができる。
【００６４】
なお、上記実施形態では、画像データの解析の一手法として、画像中のフォントデータの数を抽出し、抽出したフォントデータの数が一定より多ければ当該画像データの再生時間を長くなるようにランクを上げる設定を行なうものとした。
【００６５】
これにより、当該画像を見る人が画像中の文字を確実に読み終える前に画像が切換えられてしまうような事態を未然に防ぐことができる。
【００６６】
同様に、上記実施形態では、画像データの解析の一手法として、画像中のフォントデータのサイズを抽出し、抽出したフォントデータのサイズが一定より小さければ当該画像データの再生時間を長くなるようにランクを上げる設定を行なうものとした。
【００６７】
これにより、当該画像を見る人が画像中の文字を確実に視認し終える前に画像が切換えられてしまうような事態を未然に防ぐことができる。
【００６８】
また、上記実施形態では、画像データの解析の一手法として、画像中の背景部分とフォントデータ及び図形データの部分とでそれぞれの代表色を求め、それらのコントラスト値が一定より低ければ当該画像データの再生時間を長くなるようにランクを上げる設定を行なうものとした。
【００６９】
これにより、特に明るい環境下でデータプロジェクタ装置１０を設置して投影が実行される場合などでも、当該画像を見る人が画像の内容を確実に視認できるようにする。
【００７０】
なお、上記実施形態では示さなかったが、画像中のフォントデータ及び図形データの少なくとも一方のデータ量を算出し、算出したデータ量の画像データに対する割合により当該画像データの標準の再生時間に対する調整時間を設定するものとしてもよい。
【００７１】
こうすることで、込み入った画像であることを比較的容易に判断して、当該画像を見る人が画像の内容を確実に視認できるようにする。
【００７２】
また、上記実施形態では、個々の画像データの再生時間を設定し終えた後、必要によりその画像ファイル全体の再生時間から再度個々の画像データの再生時間を再調整するものとした。
【００７３】
これにより、画像ファイル全体での再生時間が制限されている場合などにも対応して、各画像データをその内容に適した時間で再生させることができる。
【００７４】
さらに、上記実施形態では示さなかったが、画像中に複数の画像が時分割で切換え表示される、所謂アニメーション効果の表示などの特殊効果表示がある場合には、その存在を検出して当該画像データの標準の再生時間に対する調整時間を設定するものとしてもよい。
こうすることで、特にアピールしたい内容等をより印象づけて視聴者に見ていただくことができる。
【００７５】
（第２の実施形態）
以下本発明をＤＬＰ（登録商標）方式のプロジェクタ装置に適用した場合の第２の実施形態について図面を参照して説明する。
【００７６】
なお、同実施形態に係るプロジェクタ装置１０の電子回路の機能構成については、上記図１に示したものと基本的に同様であるものとし、同一部分には同一符号を用いることとして、その図示と説明とを省略する。
【００７７】
次に上記実施形態の動作について説明する。
図３及び図４は、入出力コネクタ部１１のＵＳＢ端子に図示しないＵＳＢフラッシュメモリを接続し、データプロジェクタ装置１０が有するビューワソフトウェア（以下「ビューワ」と称する）を起動して当該ＵＳＢフラッシュメモリに記憶された画像ファイルを選択し、自動スライドショーモードで再生させる場合の処理内容を示すフローチャートである。これら図３及び図４の処理は、全てＣＰＵ２７がプログラムメモリ２８に記憶されているビューワを含む動作プログラムに基づいて実行する。
【００７８】
処理当初には、レンズユニット２２より投影されるビューワのガイド表示にしたがってキースイッチ部３０のカーソルキー、エンターキー等を操作することで再生する画像ファイルを選択する（ステップＢ０１）。
【００７９】
次に同じくビューワのガイド表示にしたがって再生モードを選択する（ステップＢ０２）。ここでは、後述する自動スライドショーモードの他に、ユーザが手動で画像の切換えを指示するマニュアルモード、画像ファイル内の各画像データをアトランダムな順序で選択して一定時間ずつ切換えながら再生するシャッフルスライドショーモード、その他の再生モードも選択可能とするが、本発明には直接関係しないのでその詳細については説明を省略する。
【００８０】
そして、選択された再生モードが自動スライドショーモードであるか否かを判断し（ステップＢ０３）、そうでない場合には、上述した如くその選択した再生モードに応じた再生処理を実行する。
【００８１】
一方、ステップＢ０３で自動スライドショーモードを選択したと判断した場合には、次いでその画像ファイル名に対応して記憶されている再生回数情報を読出し、その値が「０」であるか否かを判断する（ステップＢ０４）。
これはすなわち、その画像ファイルを過去に一度も同ビューワにより再生したことがなく、各画像データの再生時間が記憶されていないかどうかを判断するものである。
【００８２】
ここで再生回数情報の値が「０」であり、まだ再生したことがないと判断すると、その再生時間を記憶するリハーサルを兼ねた再生を行なうものとして、画像データ名の順序に応じて画像データを１つ選択する（ステップＢ０５）。
【００８３】
次いで、再生時間をカウントするためのカウンタ（以下「第１カウンタ」と称する）による計時を開始させると同時に（ステップＢ０６）、その画像を読出して上記レンズユニット２２より投影させる投影動作を開始させる（ステップＢ０７）。
【００８４】
こうして投影による計時動作を行ないながら、例えばキースイッチ部３０のカーソルキー中の「→」キーが操作されたか否かにより、次の画像データへの切換えを指示するキー操作がなされたか否かを繰返し判断することで、当該キー操作がなされるのを待機する。
【００８５】
そして、当該キー操作がなされ、次の画像データへの切換えが指示されたと判断した時点で、上記第１カウンタによる計時を停止すると同時に（ステップＢ０９）、それまでの画像投影を停止する（ステップＢ１０）。
【００８６】
そして、停止した第１カウントの計時値をそれまで投影していた画像の再生時間として入出力コネクタ部１１に接続されているＵＳＢフラッシュメモリ内の当該画像データに関連付けて記憶設定した後（ステップＢ１１）、それ以上再生すべき画像データがないかどうかにより、再生動作を終了するかどうかを判断する（ステップＢ１２）。
【００８７】
ここでまだ再生すべき画像データが存在し、画像ファイルの再生は終了していないと判断すると、再び上記ステップＢ０５からの処理に戻り、まだ再生を行っていない他の画像データに関しても同様の再生動作と再生時間の記憶設定とを行なう。
【００８８】
こうして画像ファイルを構成する画像データの数だけステップＢ０５〜Ｂ１２の処理を繰返し実行し、画像ファイルを構成する最後の画像データへの処理を終えると、ステップＢ１２でこれを判断する。
【００８９】
そして、入出力コネクタ部１１に接続されているＵＳＢフラッシュメモリ内の当該画像ファイルに対して再生回数情報として「１」を新たに記憶設定し（ステップＢ１３）、以上で一連の再生処理を終了する。
【００９０】
図５は、入出力コネクタ部１１のＵＳＢ端子に接続された、ファイル名「工場データ２００７」なる画像ファイルの記憶内容を例示するものである。コンピュータシステム上は複数のＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）ファイルを纏めた上位階層のデータフォルダとなるもので、その付帯情報として再生回数情報「１」が付加される。
【００９１】
また、画像ファイルを構成する複数の画像データ（ＪＰＥＧ）データにはそれぞれ、上述した再生動作に伴う再生時間が図示する如く関連付けて記憶されることとなる。
【００９２】
ここでは、各画像データのデータ名が「工場データ２００７−００１」「工場データ２００７−００２」‥‥「工場データ２００７−０５０」となっていることから、この画像ファイルが計５０個の画像データから構成されていることがわかる。
【００９３】
次に、このように入出力コネクタ部１１のＵＳＢ端子に接続された画像ファイルを選択して２回目以降再生する場合の動作についても説明する。
【００９４】
上記同様にビューワの起動により図３及び図４の処理を開始し、レンズユニット２２より投影されるビューワのガイド表示にしたがってキースイッチ部３０のカーソルキー、エンターキー等を操作することで再生する画像ファイルを選択する（ステップＢ０１）。
【００９５】
次に同じくビューワのガイド表示にしたがって再生モードを選択する（ステップＢ０２）。
【００９６】
そして、選択された再生モードが自動スライドショーモードであるか否かを判断し（ステップＢ０３）、そうでない場合には、上述した如くその選択した再生モードに応じた再生処理を実行する。
【００９７】
一方、ステップＢ０３で自動スライドショーモードを選択したと判断した場合には、次いでその画像ファイル名に対応して記憶されている再生回数情報を読出し、その値が「０」であるか否かを判断する（ステップＢ０４）。
ここで再生回数情報の値が「０」ではなく「１」であり、すでに再生を行なったことがあると判断すると、すでに記憶されている再生時間に基づいた再生を行なうものとして、画像データ名の順序に応じて画像データを１つ選択する（ステップＢ１４）。
【００９８】
次いで、再生時間をカウントするためのカウンタ（以下「第１カウンタ」と称する）による計時を開始させると同時に（ステップＢ１５）、再生を停止させるための時間をカウントするダウンカウンタ（以下「第２カウンタ」と称する）に上記再生時間を設定してダウンカウントを開始する（ステップＢ１６）。
【００９９】
合わせて、その画像データを読出して、その画像を上記レンズユニット２２より投影させる投影動作を開始させる（ステップＢ１７）。
【０１００】
こうして投影による計時動作を行ないながら、第２カウンタのカウント値が一定値、例えば残り１０秒以下となったか否か（ステップＢ１８）、画像切換えの延長を指示するための例えばカーソルキー中の「↓」キーが操作されたか否か（ステップＢ２０）、第２カウンタのカウント値が「０」となったか否か（ステップＢ２２）、そして次の画像データへの切換えを指示するための例えばカーソルキー中の「→」キーが操作されたか否か（ステップＢ２３）を繰返し判断することで、これらの状態のいずれかとなるのを待機する。
【０１０１】
しかして、第２カウンタのカウント値が一定値、例えば残り１０秒以下となった場合には、上記ステップＢ１８でこれを判断し、次の画像データへの切換えタイミングが間近であることをガイドメッセージとして重畳するべく画像中にＯＳＤ表示し（ステップＢ１９）、その後に上記ステップＢ２０に至る。
【０１０２】
また、画像切換えの延長を指示するための例えばカーソルキー中の「↓」キーが操作されたと判断した場合には、上記ステップＢ２０でこれを判断し、ダウンカウントを行なう第２カウンタのカウント値をその時点のカウント値から一定値、例えば６０秒分プラスする更新設定を行ない（ステップＢ２１）、その後に上記ステップＢ２２に至る。
【０１０３】
さらに、上記ステップＢ２２でダウンカウントを行なう第２カウンタのカウント値が「０」となったと判断した場合、及び上記ステップＢ２３で次の画像データへの切換えを指示するための例えばカーソルキー中の「→」キーが操作された次の画像データへの切換えを指示するための例えばカーソルキー中の「→」キーが操作されたと判断した場合には、その時点で上記第１カウンタによる計時を停止すると同時に（ステップＢ２４）、それまでの画像投影を停止する（ステップＢ２５）。
【０１０４】
そして、停止した第１カウントの計時値と、当該画像データに関連付けて記憶されている再生時間、及び再生回数情報の値により新たに再生時間の平均値を算出して、その算出した平均値を当該画像データに関連付けて更新記憶させる（ステップＢ２６）。
【０１０５】
このとき、第１カウンタの計時値がｔ１、関連付けて記憶されている再生時間がｔ２、再生回数情報がｎであれば、演算
（ｔ１＋ｔ２＊ｎ）／（ｎ＋１）
を行なうことで新たな平均値が算出できる。
【０１０６】
さらに、それ以上再生すべき画像データがないかどうかにより、今回の再生動作を終了するかどうかを判断する（ステップＢ２７）。
【０１０７】
ここでまだ再生すべき画像データが存在し、画像ファイルの再生は終了していないと判断すると、再び上記ステップＢ１４からの処理に戻り、今回の再生動作でまだ再生を行なっていない他の画像データに関しても同様の再生動作と今回の再生時間を加味した平均値による更新記憶とを行なう。
【０１０８】
こうして画像ファイルを構成する画像データの数だけステップＢ１４〜Ｂ２７の処理を繰返し実行し、画像ファイルを構成する最後の画像データへの処理を終えると、ステップＢ２７でこれを判断する。
【０１０９】
そして、入出力コネクタ部１１に接続されているＵＳＢフラッシュメモリ内の当該画像ファイルに対して再生回数情報としてそれまでの値ｎを「＋１」更新設定し（ステップＢ２８）、以上で一連の再生処理を終了する。
【０１１０】
このように本実施形態によれば、初めの１回はユーザ自身による画像の切換え指示が必要となるものの、例えばプレゼンテーション画像のように事前のリハーサルを１回目として各画像の再生時間を記憶させておくことで、２回目以降は基本的に１回目を踏襲してユーザの手間を全く省きながら一連の画像を各々の画像の内容に応じた表示時間で自動スライドショー表示させることが可能となる。
【０１１１】
なお、上記実施形態では、単に記憶した再生時間に基づいて画像の切換えを行なうのみならず、再生の延期及び再生の短縮を指示するキー操作も受け付けてそれを実行するものとした。
【０１１２】
これにより、以前の再生時間を活用しながらも、その時点で必要とされる状況に対応した、即時性が高くユーザの要求に的確に応え得る再生動作が実現できる。
【０１１３】
この場合、単に再生の延期及び再生の短縮を行なうだけではなく、それらの指示によって延長もしくは短縮された再生時間を用いてそれまでの平均値を算出し、算出した再生時間の平均値を更新記憶するものとした。
【０１１４】
これにより、同一の画像ファイルを用いてプレゼンテーション時に何度も自動スライドショーモードで表示するような場合、ユーザのプレゼンテーション内容の習熟と合わせて再生時間を自動的に学習し、より最適な再生時間での再生とセンサを実現できる。
【０１１５】
さらに、上記実施形態ではあえて採用しなかったが、第１の実施形態でも説明した如く、個々の画像データの再生時間を設定し終えた後、必要によりその画像ファイル全体の再生時間から再度個々の画像データの再生時間を再調整するものとしてもよい。
【０１１６】
このような再調整を行なうことにより、例えばプレゼンテーションで画像ファイル全体での再生時間が制限されている場合などにも対応して、各画像データをその内容に適した時間で再生させることができる。
【０１１７】
なお、上記第１及び第２の実施形態はいずれも、ＤＬＰ（登録商標）方式のプロジェクタ装置に適用した場合について説明したが、本発明は投影装置に限定するものではなく、例えば透過型のカラー液晶パネルを表示素子として投影動作を実行する液晶方式のプロジェクタ装置、あるいはモノクロのオー・ヘッド・プロジェクタ（ＯＨＰ）等の各種プロジェクタ装置、デジタルカメラやフォトビューワ装置、画像の再生機能を有する携帯音楽プレーヤや携帯電話端末等、各種の画像再生可能な電子機器でも同様に適用することが可能である。
【０１１８】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件により適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【０１１９】
１０…データプロジェクタ装置、１１…入出力コネクタ部、１２…入出力インタフェース（Ｉ／Ｆ）、１３…画像変換部、１４…投影駆動部、１５…ビデオＲＡＭ、１６…マイクロミラー素子、１７…リフレクタ、１８…光源ランプ、１９…カラーホイール、２０…インテグレータ、２１…ミラー、２２…レンズユニット、２３…ステッピングモータ（Ｍ）、２４…マーカセンサ、２５…モータ（Ｍ）、２６…投影光処理部、２７…ＣＰＵ、２８…プログラムメモリ、２９…メインメモリ、３０…キースイッチ部、３１…インジケータ部、３２…音声処理部、３３…スピーカ、ＳＢ…システムバス。
【図１】
2011244494.tif 000003
【図２】
2011244494.tif 000004
【図３】
2011244494.tif 000005
【図４】
2011244494.tif 000006
【図５】
2011244494.tif 000007
【手続補正書】
【提出日】平成23年9月8日(2011.9.8)
【手続補正２】
【補正対象書類名】明細書
【補正対象項目名】０００１
【補正方法】変更
【補正の内容】
【０００１】
本発明は、画像を再生する画像再生装置に関する。
【手続補正３】
【補正対象書類名】明細書
【補正対象項目名】０００６
【補正方法】変更
【補正の内容】
【０００６】
本発明は、各々の画像をその画像を再生するのに最適な再生時間で再生できるようにすることにある。
【手続補正４】
【補正対象書類名】明細書
【補正対象項目名】０００７
【補正方法】変更
【補正の内容】
【０００７】
請求項１記載の発明は、複数の画像を順次再生する画像再生装置であって、上記各画像を予め指定された再生時間に基づいた再生時間で再生する再生制御手段と、上記各画像全体を再生する時間に制限がある場合には、上記各画像の上記再生時間を調整する調整手段と、具備し、上記再生制御手段は、上記各画像全体を再生する時間に制限がある場合には、上記調整手段で調整された調整再生時間に基づいて個々の画像を再生させる、ことを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
請求項９記載の発明は、画像を再生する画像再生装置であって、再生対象となる画像に、予め登録された情報と一致する情報が含まれているか否かを判別する判別手段と、上記判別手段での判別結果に基づいて、当該画像を再生する際の再生時間を調整するか否かを制御する調整制御手段と、上記画像を自動で再生する際は、当該画像を上記調整制御手段で調整された再生時間、あるいは非調整の再生時間に基づいた時間で再生する再生制御手段と、を具備したことを特徴とする。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】変更
【補正の内容】
【００２０】
本発明によれば、各々の画像をその画像を再生するのに最適な再生時間で再生させることが可能となる。
【手続補正１８】
【補正対象書類名】特許請求の範囲
【補正対象項目名】全文
【補正方法】変更
【補正の内容】
【特許請求の範囲】
【請求項１】
複数の画像を順次再生する画像再生装置であって、
上記各画像を予め指定された再生時間に基づいた再生時間で再生する再生制御手段と、
上記各画像全体を再生する時間に制限がある場合には、上記各画像の上記再生時間を調整する調整手段と、
具備し、
上記再生制御手段は、上記各画像全体を再生する時間に制限がある場合には、上記調整手段で調整された調整再生時間に基づいて個々の画像を再生させる、
ことを特徴とする画像再生装置。
【請求項２】
上記指定の再生時間は、個々の画像毎に指定された再生時間であり、
その個々の画像毎の再生時間は、その対応する画像の内容に基づいて調整される時間である、
ことを特徴とする請求項１に記載の画像再生装置。
【請求項３】
上記個々の画像毎の再生時間は、その対応する画像に含まれるデータの数、あるいはデータのサイズに基づいて調整される時間である、
ことを特徴とする請求項２に記載の画像再生装置。
【請求項４】
上記個々の画像毎の再生時間は、その対応する画像に含まれる情報が予め登録された情報と一致する情報が含まれているか否かに基づいて調整される時間である、
ことを特徴とする請求項２または３に記載の画像再生装置。
【請求項５】
上記個々の画像毎の再生時間は、その対応する画像の背景部分とデータ部分とのコントラストに基づいて調整される時間である、
ことを特徴とする請求項２〜４のいずれか１項に記載の画像再生装置。
【請求項６】
上記指定の再生時間は、個々の画像毎に指定された再生時間であり、
その個々の画像毎の再生時間は、その対応する画像の過去の再生時間に基づいて調整される時間である、
ことを特徴とする請求項１に記載の画像再生装置。
【請求項７】
上記個々の画像毎の再生時間は、その対応する画像が過去に繰り返し再生される毎に計時された複数の再生時間に基づいて学習されて決定される時間である、
ことを特徴とする請求項６に記載の画像再生装置。
【請求項８】
上記学習されて決定される時間は、複数の再生時間の平均値で決定される時間である、
ことを特徴とする請求項７に記載の画像再生装置。
【請求項９】
画像を再生する画像再生装置であって、
再生対象となる画像に、予め登録された情報と一致する情報が含まれているか否かを判別する判別手段と、
上記判別手段での判別結果に基づいて、当該画像を再生する際の再生時間を調整するか否かを制御する調整制御手段と、
上記画像を自動で再生する際は、当該画像を上記調整制御手段で調整された再生時間、あるいは非調整の再生時間に基づいた時間で再生する再生制御手段と、
を具備したことを特徴とする画像再生装置。
【請求項１０】
上記判別手段は、上記再生対象となる画像に、特定種類の情報が含まれており、且つその特定種類の情報が上記予め登録された情報と一致するか否かを判別する、
ことを特徴とする請求項９に記載の画像再生装置。
【請求項１１】
複数の画像を順次再生する画像再生装置のコンピュータを制御するためのプログラムであって、
前記コンピュータを、
上記各画像を予め指定された再生時間に基づいた再生時間で再生する再生制御手段、
上記各画像全体を再生する時間に制限がある場合には、上記各画像の上記再生時間を調整する調整手段、
として機能させ、
上記再生制御手段は、上記各画像全体を再生する時間に制限がある場合には、上記調整手段で調整された調整再生時間に基づいて個々の画像を再生させる手段、
として機能させるようにしたコンピュータ読み取り可能なプログラム。
【請求項１２】
複数の画像を順次再生する画像再生装置のコンピュータを制御するためのプログラムであって、
前記コンピュータを、
再生対象となる画像に、予め登録された情報と一致する情報が含まれているか否かを判別する判別手段、
上記判別手段での判別結果に基づいて、当該画像を再生する際の再生時間を調整するか否かを制御する調整制御手段、
上記画像を自動で再生する際は、当該画像を上記調整制御手段で調整された再生時間、あるいは非調整の再生時間に基づいた時間で再生する再生制御手段、
として機能させるようにしたコンピュータ読み取り可能なプログラム。